(57)【要約】【課題】ユーザにとって使い勝手がよい家電制御プロトコル対応装置を提供する。【解決手段】ＣＥＣ機能に対応するハードディスクレコーダとＴＶ受像機とがＨＤＭＩケーブルを介して接続され、ハードディスクレコーダは、ＴＶ受像機から設定情報を含む設定項目制御コマンドを受信する設定情報送受信部と、このコマンドに含まれる設定情報に基づいて自装置の設定項目に対して自動設定処理を行う項目情報設定部とを有する。ハードディスクレコーダは、自動設定処理を行うとき、ＴＶ受像機から受信した設定項目制御コマンドに含まれる設定項目について自動設定の可否を判断する（Ｓ１１）。そして、自動設定可能な場合（Ｓ１２でＹＥＳ）、項目情報設定部を用いて、設定項目制御コマンドに含まれる設定項目の設定情報に基づいて設定項目の自動設定を行う（Ｓ１３）。一方、設定項目の自動設定が不可である場合（Ｓ１２でＮＯ）、上記Ｓ１３の処理を行わない。【選択図】図６
2010183512.tif 000002
【特許請求の範囲】
【請求項１】
他装置から送信された、家電制御プロトコルに基づく設定項目制御コマンドを受信するための受信手段と、
前記受信手段によって受信された前記設定項目制御コマンドの内容に基づいて、自装置の設定項目を自動設定する自動設定手段と、
装置各部を制御するための制御手段とを備える家電制御プロトコル対応装置において、
自装置の設定項目のそれぞれに対して、前記自動設定手段による自動設定を行うか否かを選択する自動設定可否選択手段をさらに備え、
前記制御手段は、
前記受信手段によって受信された前記設定項目制御コマンドの内容に基づいて、自装置の設定項目のうちの前記自動設定可否選択手段によって自動設定を行うように選択された設定項目のみを、前記自動設定手段を用いて自動設定することを特徴とする家電制御プロトコル対応装置。
【請求項２】
前記家電制御プロトコルは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格であることを特徴とする請求項１に記載の家電制御プロトコル対応装置。
【発明の詳細な説明】
【技術分野】
【０００１】
本発明は、自装置の設定項目について自動設定が可能な家電制御プロトコル対応装置に関する。
【背景技術】
【０００２】
近年、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格に基づく設定項目の自動設定機能（以下、ＣＥＣ機能という）を用いて、自装置の設定項目を自動設定可能なハードディスクレコーダ等の装置が知られている（例えば、特許文献１乃至５参照）。この種の装置は、ＨＤＭＩケーブルを介して接続されたモニタ装置等から各項目の設定情報を受信し、受信した設定情報に従って、自装置の設定項目を自動設定することができる。従って、ユーザは設定操作を行う必要がない。
【０００３】
ところで、ユーザによっては手動で設定した設定項目の内容を変更したくない場合がある。しかしながら、上記従来の装置では、ＣＥＣ機能によって変更可能なすべての設定項目が自動的に変更されてしまうため、ユーザにとって使い勝手が悪い。
【先行技術文献】
【特許文献】
【０００４】
【特許文献１】特開２００８−４８３３７号公報
【特許文献２】特開２００８−５２８８７号公報
【特許文献３】特開２００８−３５１８９号公報
【特許文献４】特開２００８−１１８１８６号公報
【特許文献５】特開２００８−５３９８３号公報
【発明の概要】
【発明が解決しようとする課題】
【０００５】
本発明は、上述した問題点を解決するためになされたものであり、ユーザにとって使い勝手がよい家電制御プロトコル対応装置を提供することを目的とする。
【課題を解決するための手段】
【０００６】
上記目的を達成するために請求項１の発明は、他装置から送信された、家電制御プロトコルに基づく設定項目制御コマンドを受信するための受信手段と、前記受信手段によって受信された前記設定項目制御コマンドの内容に基づいて、自装置の設定項目を自動設定する自動設定手段と、装置各部を制御するための制御手段とを備える家電制御プロトコル対応装置において、自装置の設定項目のそれぞれに対して、前記自動設定手段による自動設定を行うか否かを選択する自動設定可否選択手段をさらに備え、前記制御手段は、前記受信手段によって受信された前記設定項目制御コマンドの内容に基づいて、自装置の設定項目のうちの前記自動設定可否選択手段によって自動設定を行うように選択された設定項目のみを、前記自動設定手段を用いて自動設定するものである。
【０００７】
請求項２に記載の発明は、請求項１に記載の家電制御プロトコル対応装置において、前記家電制御プロトコルは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格である。
【発明の効果】
【０００８】
本発明によれば、他装置から送信された設定項目制御コマンドの内容に基づいて、自装置の設定項目のうちの自動設定を行うように選択された設定項目のみを自動設定するので、ユーザが意図しない設定項目が自動的に変更されることを防ぐことができる。そのため、ユーザにとって使い勝手が良い。
【図面の簡単な説明】
【０００９】
【図１】本発明の一実施形態に係るハードディスクレコーダと、このハードディスクレコーダとＨＤＭＩケーブルを介して接続されたＴＶ受像機とを示す斜視図。
【図２】上記ハードディスクレコーダの構成を示すブロック図。
【図３】上記ハードディスクレコーダの自動設定可否情報を示す説明図。
【図４】上記ＴＶ受像機の構成を示すブロック図。
【図５】上記ハードディスクレコーダの項目設定処理の手順を示すフローチャート。
【図６】上記項目設定処理における自動項目設定処理の手順を示すフローチャート。
【発明を実施するための形態】
【００１０】
本発明の一実施形態に係るハードディスクレコーダ（家電制御プロトコル対応装置）について、図１乃至図４を参照して説明する。図１は、ハードディスクレコーダ１と、このハードディスクレコーダ１にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル３を介して接続されたテレビジョン（以下、ＴＶという）受像機２との外観を示す。図２は、ハードディスクレコーダ１の内部構成を示す。図３は、ハードディスクレコーダ１の各設定項目に対する自動設定可否リストを示し、図４は、ＴＶ受像機２の内部構成を示す。
【００１１】
ハードディスクレコーダ１は、ＴＶ番組を録画再生することができる装置であり、再生したＴＶ番組の映像信号や音声信号はＨＤＭＩケーブル３を介してＴＶ受像機２に出力される。ハードディスクレコーダ１及びＴＶ受像機２は、ＨＤＭＩ規格におけるＣＥＣ（Ｃｏｎｓｕｍｅｒ  Ｅｌｅｃｔｒｏｎｉｃｓ  Ｃｏｎｔｒｏｌ；ＨＤＭＩで規格化されている装置間相互制御を行う機能）に対応した装置である。また、ハードディスクレコーダ１及びＴＶ受像機２は、それぞれＨＤＭＩ−ＣＥＣ規格に基づく設定項目の自動設定機能（以下、ＣＥＣ機能という）を用いて、自装置の設定項目の設定情報を、ＣＥＣ機能に対応した他の装置に送信することができると共に、受信した他の装置の設定情報に基づいて自装置の設定項目を自動設定することができる。
【００１２】
ハードディスクレコーダ１は、図２に示すように、放送局から放送されるＴＶ番組を受信するチューナ１１と、ユーザによって操作されるリモコン装置４から送信されたリモコン信号を受信するリモコン信号受信部１２と、筐体外部に露出するように設けられたＨＤＭＩ端子部（受信手段）１３とを備える。また、ハードディスクレコーダ１は、各種情報が記憶されるメモリ１４と、ＴＶ番組を録画するハードディスク（以下、ＨＤＤという）１５と、ＨＤＤ１５に対してＴＶ番組の読み出しや書き込みを行うアクセス部１６と、装置各部の制御を行う制御用マイコン（制御手段）１７とをさらに備える。
【００１３】
メモリ１４には、制御用マイコン１７を動作させるためのプログラム１４ａと、設定項目情報１４ｂと、ＣＥＣ機能設定情報１４ｃと、自動設定可否情報１４ｄとが記憶される。設定項目情報１４ｂには、ハードディスクレコーダ１の各設定項目の設定情報が記憶される。具体的には例えば、ＯＳＤ表示言語、字幕表示言語、及び出力音声言語等の設定情報が記憶される。ＣＥＣ機能設定情報１４ｃには、ＣＥＣ機能のオン／オフ設定情報が記憶される。
【００１４】
自動設定可否情報１４ｄには、ＣＥＣ機能によりハードディスクレコーダ１の設定項目に対して自動設定を行うか否かの情報が記憶される。具体的には例えば図３に示すように、自動設定可否リストＬとして記憶される。ここでは、設定項目のＬａｎｇｕａｇｅ設定が自動設定が可能に設定され、オーディオディレイ設定が自動設定が不可に設定されている。
【００１５】
制御用マイコン１７は、映像出力部１７ａと、録画処理部１７ｂと、設定情報送受信部（受信手段）１７ｃと、項目情報設定部（自動設定手段）１７ｄと、自動設定選択部（自動設定可否選択手段）１７ｅとを有する。
【００１６】
映像出力部１７ａは、チューナ１１によって受信されたＴＶ番組や、アクセス部１６を介してＨＤＤ１５から読み出したＴＶ番組の再生を行い、再生されたＴＶ番組の映像信号及び音声信号を、ＨＤＭＩケーブル３を介してＴＶ受像機２に出力する。録画処理部１７ｂは、例えばユーザによるリモコン装置４の操作に基づいてチューナ１１から受信されたＴＶ番組をＨＤＤ１５に録画する。
【００１７】
設定情報送受信部１７ｃは、ＣＥＣ機能がオン設定のとき、つまりＣＥＣ機能設定情報１４ｃがオン設定のときに、ＣＥＣ機能に対応している他の装置から設定項目の設定情報を含むコマンド（以下、設定項目制御コマンドという）を受信する。また、設定情報送受信部１７ｃは、ＣＥＣ機能に対応している他の装置に対して、ハードディスクレコーダ１の設定項目の設定情報を、設定項目制御コマンドに基づいて送信する。送受信に用いられる設定項目制御コマンドは、ＨＤＭＩ−ＣＥＣ規格に基づくコマンドである。
【００１８】
項目情報設定部１７ｄは、ハードディスクレコーダ１の各設定項目に対して、設定情報送受信部１７ｃによって受信された設定情報に基づいて自動設定を行う処理（以下、自動設定処理という）や、ユーザによるリモコン装置４の操作内容に基づいて設定を行う処理（以下、手動設定処理という）を行う。
【００１９】
自動設定選択部１７ｅは、ハードディスクレコーダ１の各設定項目に対して項目情報設定部１７ｄによる自動設定処理を行うか否かの選択情報をメモリ１４に自動設定可否情報１４ｄとして記憶させる。自動設定処理の可否選択は、例えばユーザによってリモコン装置４が操作されることにより選択される。従って、ユーザは、自動設定を行いたい設定項目を自動設定可能として選択し、自動設定を行いたくない設定項目を自動設定不可として選択することができる。
【００２０】
ＴＶ受像機２は、図４に示すように、ＴＶ番組の映像を表示するディスプレイ２１と、ＴＶ番組の音声を出力するスピーカ２２と、放送局からＴＶ番組を受信するチューナ２３と、リモコン装置５から送信されたリモコン信号を受信するリモコン信号受信部２４とを備える。また、ＴＶ受像機２は、ＴＶ受像機の筐体外部に露出するように設けられたＨＤＭＩ端子部２５と、各種情報が記憶されるメモリ２６と、ＴＶ受像機２の各部を制御するための制御用マイコン２７とをさらに備える。
【００２１】
ＨＤＭＩ端子部２５には、ＨＤＭＩケーブル３の一端が接続される。メモリ２６には、制御用マイコン２７を動作させるためのプログラム２６ａと、ＴＶ受像機２の設定項目の設定情報を記憶するための設定項目情報２６ｂが記憶されている。
【００２２】
制御用マイコン２７は、設定情報送受信部２７ａを有し、チューナ２３によって受信されたＴＶ番組の映像及び音声や、ＨＤＭＩケーブル３を介して受信した映像及び音声をディスプレイ２１に表示させたりスピーカ２２から出力させたりする。
【００２３】
設定情報送受信部２７ａは、ＣＥＣ機能に対応している他の装置に対して、ＴＶ受像機２の設定項目の設定情報を含む設定項目制御コマンドを送信し、ＣＥＣ機能に対応している他の装置から設定項目制御コマンドを受信する。送受信に用いられる設定項目制御コマンドは、ＨＤＭＩ−ＣＥＣ規格に基づくコマンドである。
【００２４】
次に、ハードディスクレコーダ１の項目設定処理の手順について、図５に示すフローチャートを参照して説明する。ここでは、ハードディスクレコーダ１とＴＶ受像機２とがＨＤＭＩケーブル３を介して接続されているものとする。
【００２５】
まず、ハードディスクレコーダ１の制御用マイコン１７は、ＣＥＣ機能がオンの場合、つまりＣＥＣ機能設定情報１４ｃがオン設定である場合（Ｓ１でＹＥＳ）、設定情報送受信部１７ｃを用いて、ＴＶ受像機２に対して、ＴＶ受像機２の設定情報を要求する設定項目制御コマンドをＨＤＭＩケーブル３を介して送信する（Ｓ２）。一方、ＣＥＣ機能がオフの場合（Ｓ１でＮＯ）、制御用マイコン１７は、処理を終了する。
【００２６】
そして、上記Ｓ２でハードディスクレコーダ１から送信された設定項目制御コマンドを受信したＴＶ受像機２の制御用マイコン２７は、設定情報送受信部２７ａを用いて、ＴＶ受像機２の設定項目情報２６ｂの設定情報を含む設定項目制御コマンドをハードディスクレコーダ１に送信する（Ｓ３）。
【００２７】
そして、ハードディスクレコーダ１の制御用マイコン１７は、ＴＶ受像機２から送信された設定情報を含む設定項目制御コマンドを受信し（Ｓ４）、項目情報設定部１７ｄを用いて、ハードディスクレコーダ１の設定項目を自動的に設定する自動項目設定処理を行う（Ｓ５）。自動項目設定処理の詳細については後述する。
【００２８】
次に、上記自動項目設定処理の詳細について、図６に示すフローチャートを参照して説明する。まず、制御用マイコン１７は、設定項目制御コマンドに含まれる設定項目について、自動設定可否情報１４ｄを参照することにより自動設定の可否を判断する（Ｓ１１）。具体的には、自動設定可否情報１４ｄに記憶される自動設定可否リストＬを参照して、自動設定の可否の選択情報を読み出すことにより、自動設定処理の可否を判断する。そして、設定項目が自動設定可能な場合（Ｓ１２でＹＥＳ）、制御用マイコン１７は、項目情報設定部１７ｄを用いて、設定項目制御コマンドに含まれる設定項目の設定情報に基づいて、設定項目の自動設定を行う（Ｓ１３）。具体的には、例えば、言語（Ｌａｎｇｕａｇｅ）設定が自動設定可能である場合に、Ｌａｎｇｅｕａｇｅ設定の設定情報を自動的に設定する。一方、設定項目の自動設定が不可である場合（Ｓ１２でＮＯ）、上記Ｓ１３の処理を行わない。
【００２９】
そして、制御用マイコン１７は、設定項目制御コマンドに含まれるすべての設定項目について上記Ｓ１１以降の処理を行なった場合（Ｓ１４でＹＥＳ）、処理を終了する。一方、すべての設定項目について上記Ｓ１１以降の処理を行なっていないとき（Ｓ１４でＮＯ）、上記Ｓ１１以降の処理を繰り返す。
【００３０】
上述したように、本実施形態に係るハードディスクレコーダ１においては、ＴＶ受像機２から送信された設定項目制御コマンドの内容に基づいて、ハードディスクレコーダ１の設定項目のうちの自動設定を行うように選択された設定項目のみを自動設定するができるので、ユーザが意図しない設定項目が自動的に変更されることを防ぐことができる。そのため、ユーザにとって使い勝手が良い。
【００３１】
なお、本発明は、上記実施形態の構成に限られず、発明の趣旨を変更しない範囲で種々の変形が可能である。例えば、上記実施形態では、本発明をハードディスクレコーダに適用した例を示したが、これに限られず、ＴＶ受像機等の家電装置に適用してもよい。
【符号の説明】
【００３２】
１  ハードディスクレコーダ（家電制御プロトコル対応装置）
２  ＴＶ受像機（他装置）
１３  ＨＤＭＩ端子部（受信手段）
１７    制御用マイコン（制御手段）
１７ｃ  設定情報送受信部（受信手段）
１７ｄ  項目情報設定部（自動設定手段）
１７ｅ  自動設定選択部（自動設定可否選択手段）
【図１】
2010183512.tif 000003
【図２】
2010183512.tif 000004
【図３】
2010183512.tif 000005
【図４】
2010183512.tif 000006
【図５】
2010183512.tif 000007
【図６】
2010183512.tif 000008